(57)【要約】      （修正有）【課題】従来の針金ハンガ−のズボン掛けは細いので、別体の太い補助掛け棒を組み合わせることで、ズボンに折り目やシワの跡が付かない太いズボン掛け棒を提供する。【解決手段】既存のハンガ−のズボン掛けより短い丸棒の内側に貫通する保持穴２を設け、その保持穴２に連設する小さい溝穴３と大きい３Ａを設けるとともに、前記した保持穴２から外面に開口される出し入れ口４を設けた補助掛け棒５を形成し、その補助掛け棒５に、別体の支持棒７を組み合わせたハンガ−のズボン掛け補助棒１とする。【選択図】図１
2007283068.tif 000002
【特許請求の範囲】
【請求項１】
既存のハンガ−のズボン掛け棒に組み合わせる補助棒であって、所定の長さと太さの丸棒の内側に貫通する保持穴を設け、その保持穴に連設する溝穴を設けるとともに、前記した保持穴から外側一部に開口される出し入れ口を設けた補助掛け棒を形成し、その補助掛け棒に、別体形成される支持棒を一組とするハンガ−のズボン掛け補助棒。
【請求項２】
上記する溝穴が、大小異なる溝穴を複数個設けて成る請求項１に記載するハンガ−のズボン掛け補助棒。
【請求項３】
上記する支持棒が、支持棒の側面一部に閉口突部を設けて成る請求項１又は請求項２に記載するハンガ−のズボン掛け補助棒。
【発明の詳細な説明】
【技術分野】
【０００１】  本発明は、針金ハンガ−やズボン掛け棒が細いハンガ−に組み合わせることで、ズボン掛け棒による折り目やシワの跡が付かないズボン掛け補助棒に関する。
【背景技術】
【０００２】  従来より、衣服やシャツ、ズボンなどをクリ−ニング屋さんに出した際は、ズボン掛け棒が付いた針金製のハンガ−を頂き、そのまま家庭で使うことも多い。また市販のハンガ−はズボン掛け棒が付いたタイプも多い。【０００３】  さらに、細い針金ハンガ−専用として、発泡スチロ−ルによる円筒を二つ連結したものを、ハンガ−の両肩部分やズボン掛け部分に嵌め込むことで、ハンガ−の跡が付かないための専用パットもある。（例えば、特許文献１参照）【０００４】
【特許文献１】特開２０００−６０７１５公報（第２頁、図１）
【発明の開示】
【発明が解決しようとする課題】
【０００５】  上記するようなズボン掛け棒が付いたハンガ−が提供されているが、針金ハンガ−の場合は、シャツなど軽い衣服の場合はよいが、上着など重い衣服を掛けるとたわんだり曲がることが多い。またズボンを掛け棒に二つ折りして掛けた場合も、出し入れしているうちに針金が曲がることが多いうえ、ズボン掛け棒が細いのでズボンに折り目が付いたりシワの跡が付くなどの不便や欠点があった。【０００６】  さらに、特開２０００−６０７１５公報によるパットは、細い針金ハンガ−に組み合わせることで針金の跡が付きにくくするものであるが、、発泡スチロ−ルに嵌め込み部を設けた円筒を単に差し込むだけであるため、洋服の掛け外しを行ううちに嵌め込み穴が大きくなって脱落するなどの致命的な欠点がある。またズボンなどの場合は掛けたり取り外す時は回転するので、一層嵌め込み部が大きくなるとともに、装着のための嵌め込み部が上向きになると簡単にハンガ−から脱落してしまうなど、素材や構造的にも機能を満たすものではないなどの不便や欠点が多いパットの技術である。
【課題を解決するための手段】
【０００７】  本発明は上記する不便や欠点を解消するために、請求項１においては、既存のハンガ−のズボン掛け棒より短い丸棒の内側に貫通する保持穴を設け、その保持穴に連設する溝穴を設けるとともに、前記した保持穴から丸捧の外周一部に開口される出し入れ口を設けた補助掛け棒を形成し、その補助掛け棒に、別体形成される支持棒を組み合わせることで、針金ハンガ−や細いズボン掛け棒を太くして使えるようにする。【０００８】  請求項２においては、上記する溝穴を、大小異なる溝穴を複数個設けることで、針金ハンガ−より少し太い他のハンガ−掛け棒にも対応できるものとする。【０００９】  請求項３においては、上記する支持棒が、側面の一部に閉口突部を設けた支持棒とすることで、出し入れ口を塞いで凹部が無い補助掛け棒とする。
【発明の効果】
【００１０】  本発明におけるズボン掛け補助棒は、丸棒の中心に設けた保持穴の隣に大小の溝穴を設けた保持穴の一部から外周部に開口された出し入れ口を設けた補助掛け棒に、前記保持穴に組み合わせられる支持棒を一組とするきわめてシンプルな構成である。ハンガ−に組み合わせて使用する時は補助掛け棒から支持棒を引き抜いた後に、出し入れ口からハンガ−のズボン掛け部を差し込んで、その太さに合う小さな溝穴又は大きな溝穴いずれかに位置して支持棒をセットすると、針金ハンガ−のように細くても太いズボン掛け部を容易に形成できるので、ズボンを掛けた場合の折り目やシワ跡を作らないユニ−クで効果的なズボン掛け補助棒を提供する。【００１１】  また補助掛け棒の大小の溝穴は中心よりズレた偏心軸穴を形成するので、ハンガ−に組み合わせた際に容易にクルクル回らないため、二つ折りで掛けたズボンの一方が長くても回転してズリ落ちない効果を得られるズボン掛け補助棒である。【００１２】  さらに、実施例２タイプの支持棒には閉口突部が付いているので、補助掛け棒の保持穴に組み合わせると出し入れ口も塞いで補助掛け棒の外周面に凹部を形成しないので、ズボンにシワを作る要因を無くし、かつ、見栄えも良いズボン掛け補助棒を形成する。
【発明を実施するための最良の形態】
【００１３】  本発明は、針金ハンガ−や細いズボン掛け棒を太くするために、丸棒の内側に針金ハンガ−や細いズボン掛け棒が収まる溝穴付き保持穴を設けるとともに、ハンガ−から外れない支持棒を前記保持穴に組み合わせるものとする。
【実施例１】
【００１４】  本発明による実施例１のズボン掛け補助棒を図１に示す分解斜視図と図２に示す拡大側面図、図３のハンガ−に組み合わせる状態を示す参考図、図４に示すハンガ−にズボン掛け補助棒を組み合わせた斜視図、図５に示すハンガ−に組み合わせた状態の一部省略した拡大側面図で説明する。【００１５】  ズボン掛け保助棒１は、一般のハンガ−のズボン掛けの幅より短く、かつ、直径が約２５〜３５ｍｍくらいの丸棒の中心に、左右に貫通する約１０〜１５ｍｍくらいの保持穴２を設け、その保持穴２の隣に、少し離して約３ミリ前後の小さい溝穴３と、約１０ｍｍリ前後の大きい溝穴３Ａを左右端部まで設けるとともに、前記保持穴２より外部まで、前記した大きい溝穴３Ａの直径と同じ幅の出し入れ口４を設けて成る補助掛け棒５を形成し、その外周面に薄いゴムなどによる摩擦シ−ト６を貼り付けた補助掛け棒５の保持穴２に、その保持穴２に収まる太さと長さの支持棒７を組み合わせて成るズボン掛け補助棒１を構成する。【００１６】  実施例１のズボン掛け補助棒１は、既存のハンガ−のズボン掛け棒より短い補助掛け棒５の内側に、保持穴２と小さい溝穴３と大きな溝穴３Ａを設けるとともに、保持穴２に別体の支持棒７を組み合わせるシンプルな構成である。【００１７】  以上のようなズボン掛け補助棒１を構成するので、保持穴２に支持棒７を組み合わせると、図２に示すように支持棒７の周囲に小さい溝穴３と太い溝穴３Ａ部は大小の開口穴を形成するので、例えば、図３のように針金ハンガ−８に組み合わせる場合は、補助掛け棒５の出し入れ口４より差し入れて小さい溝穴３に位置してから、前記する支持棒７を保持穴２に差し込むと図４に示すようにセットされるので、細い針金ハンガ−８のズボン掛け棒を太くすることができる。尚、溝穴は大きい溝穴３Ａを設けているので、もう少し太いズボン掛け棒の場合は大きい溝穴３Ａに位置することで収まり、ズボン掛けが大小異なる場合でも対応できる。【００１８】  実施例２のズボン掛け補助棒を、図６に示す支持棒の斜視図と図７に示す補助掛け棒に組み合わせた拡大断面図で説明する。
実施例２のズボン掛け補助棒１における補助掛け棒５は前記実施例１と同じであるが、組み合わせる支持棒７Ａの形が少し異なるタイプであり、その支持棒７Ａの一部側面に、前記した補助掛け棒５の出し入れ口４と同じ幅と長さの閉口突部９を設けた支持棒７Ａを組み合わせたズボン掛け補助棒１を構成する。【００１９】  実施例２の支持棒７Ａは、閉口突部９を設けた支持棒７Ａであるので、補助掛け棒５の保持穴２に組み合わせると、図７に示すように保持穴２とともに出し入れ口４も塞ぐことができるため、補助掛け棒５の外周は凹部の無い一体面を形成する。
【図面の簡単な説明】
【００２０】
【図１】実施例１のズボン掛け補助棒の分解斜視図である。
【図２】実施例１のズボン掛け補助棒を示す拡大断面図である。
【図３】実施例１のズボン掛け補助棒を針金ハンガ−に組み合わせる状態の参考図である。
【図４】実施例１のズボン掛け補助棒を針金ハンガ−に組み合わせた斜視図である。
【図５】実施例１のズボン掛け補助棒を針金ハンガ−に組み合わせた状態の一部省略した拡大断面図である。
【図６】実施例２の支持棒を示す斜視図である。
【図７】実施例２の支持棒を補助掛け棒に組み合わせた拡大側面図である。
【符号の説明】
【００２１】  １  ズボン掛け補助棒
２  保持穴
３  小さい溝穴
３Ａ  大きい溝穴
４  出し入れ口
５  補助掛け棒
６  摩擦シ−ト
７  支持棒
７Ａ  支持棒
８  針金ハンガ−
９  閉口突部
【図１】
2007283068.tif 000003
【図２】
2007283068.tif 000004
【図３】
2007283068.tif 000005
【図４】
2007283068.tif 000006
【図５】
2007283068.tif 000007
【図６】
2007283068.tif 000008
【図７】
2007283068.tif 000009